(57)【要約】【課題】トイレットペーパーを全て片手で装着し、所要長さにカットし、つかんで使用できるようにした。【解決手段】  トイレットペーパーを保持する支持装置、ペーパーを所要長さに引き出す２本のロールによる引出し装置。カッターレバーによりカットする切断装置、つづら折状に積層させて受取る受皿を設けたことを特徴とする。【選択図】図１
2010246866.tif 000002
【特許請求の範囲】
【請求項１】
（イ）背板（１Ａ）の端縁の片方に側板Ｂ（１Ｂ）の縦辺を、もう一方の端縁には側板Ｃ（１Ｃ）と側板Ｄ（１Ｄ）の縦辺を垂設して３方を囲う本体（１）のフレームを形成し、側板Ｃ（１Ｃ）の内側の所要位置にトイレットペーパー支持用の棒を突設し、その下方向にトイレットペーパー引き出し用のロールを架設する。
（ロ）所要形状のカッターホルダー（４Ｃ）の長手方向の所定位置に所要寸法の巾の長辺を有した平板に於いて背板（１Ａ）側の長辺をＶ字状に形成した薄板状のカッター（４Ｔ）を取り付け、カッターホルダー（４Ｃ）の両側の所要位置に所要長さの中空円筒を背板（１Ａ）側方向に突設させ、カッターホルダー（４Ｃ）が前後方向に摺動可能な所要形状のスライドガイド（４Ａ）（４Ｂ）を側板Ｂ（１Ｂ）と側板Ｄ（１Ｄ）に対称位置に内設し、カッターホルダー（４Ｃ）を掛け渡す。
（ハ）前記スライドガイド（４Ａ）（４Ｂ）に掛け渡せる長さを有し長手方向に前記カッター（４Ｔ）が通過出来る巾のスリット（４Ｇ）を設け、両サイドに前記中空円筒が嵌通可能な孔を所要位置に穿設した所要形状のペーパークランプ（４Ｅ）をカッターホルダー（４Ｃ）の背板（１Ａ）側に配置する。
（ニ）前記スライドガイド（４Ａ）（４Ｂ）に掛け渡せる長さを有し長手方向に前記カッター（４Ｔ）が通過出来る巾のスリット（４Ｇ）を設け、その上部に第二のスリットを設け、両サイドに前記中空円筒が嵌通可能な孔を所要位置に穿設した所要形状のペーパー受け（４Ｆ）をペーパークランプ（４Ｅ）の背板（１Ａ）側に配置し前記スリット（４Ｇ）の上側に所要長さの板を所要位置に付設する。
（ホ）カッターホルダー（４Ｃ）とペーパークランプ（４Ｅ）間の両側にカッターホルダー（４Ｃ）を否切断方向に付勢する弾性部材を当着させ、前記中空円筒の中にもカッターホルダー（４Ｃ）を否切断方向に付勢するため第二の弾性部材を挿入し該第二の弾性部材の端末に所要寸法の棒の一端を当着させ、一方の端を背板（１Ａ）の所要位置に固定する。
（ヘ）前記ペーパー受け（４Ｆ）の後方に１本の軸の中央部にスリットを設けた平板を当着し、スリット内に第二の平板を挿入し、前記ペーパー受け（４Ｆ）に設けた第二のスリットに挿入しておき、軸の両端は所要位置に軸支する。
（ト）前記弾性部材の付勢力に抗して前記カッターホルダー（４Ｃ）を切断方向に摺動させるレバーを所要位置に軸着し、本体（１）のフレームの下部に中央部が凸状になった板を設ける。以上の構成よりなるトイレットペーパーホルダー。
【発明の詳細な説明】
【技術分野】
【０００１】  本発明は三方を板で形成したフレームとトイレットペーパーを１本の棒で支持する保持  装置、２本のロールにてトイレットペーパーを引き出す引き出し装置、レバーを介して  カッターでペーパーを切断する切断装置、カットしたペーパーをつづら折り状に積層さ  せるようにした受皿より構成されたトイレットペーパーホルダーに関するものである。
【背景技術】
【０００２】従来のロール状のトイレットペーパーを使用するホルダーには、ペーパーを片手でカット出来るものや、任意の長さにカット出来るもの、モーター等、動力を使用して一連の動作を行うもの、等が公開されているが、所要の長さのペーパーをカットするためには、ペーパーの端を指でつかんで引き出す必要があり、カットされたペーパーは手のひらの大きさになるくらいの大きさで数回重ね合わせた状態にしなければ使用する時に不便である。そのためにはペーパーをつかんでカット、あるいはペーパーを数回折り重ねる作業を行おうとすると両手を使用しなければ出来ない。尚且つ、ペーパーの所要長さを判断するのは大変、むずかしい為、長すぎたり、短すぎたりして、失敗することが多い。
（例えば、特許文献１参照）また所定長さにカットした後、紙端が切断部に付着してしまい次のペーパーを引き出すことが出来ないことがある。またカットしたペーパーが使い易い大きさに積層されないという欠点があった。（例えば、特許文献２参照）。
【特許文献１】特開平  ０７−２８４４６０号  公報
【特許文献２】特開２００１−０２９２５８号  公報
【発明の開示】
【発明が解決しようとする課題】
【０００３】  本発明は上記の欠点を除いたトイレットペーパーホルダーを実現することを目的としたものである
【課題を解決するための手段】
【０００４】  本発明を図面について説明すれば、図１に示す如く本体フレーム（１）を形成する背板（１Ａ）の面の両端縁の片方に側板Ｂ（１Ｂ）の縦辺を、もう一方にはストッパー（１Ｅ）用の所要形状の平板を所要位置に取り付けた側板Ｃ（１Ｃ）の底辺を側板Ｄ（１Ｄ）の上辺に蝶着した該側板Ｄ（１Ｄ）の縦辺を垂設する。【０００５】  側板Ｂ（１Ｂ）の内側にＵ字状の切欠溝（２Ｃ）を設けたペーパー側板（２Ａ）を取り付け、側板Ｃ（１Ｃ）の内側にはペーパー支持棒（２Ｄ）をペーパー側板（２Ｂ）に垂設し、ペーパー支持棒（２Ｄ）の先端がペーパー側板（２Ａ）の切欠溝（２Ｃ）に納まるように取り付ける。【０００６】  前記ペーパー支持棒（２Ｄ）の下部に図２に示す如くロール（３Ａ）を背板（１Ａ）側に、もう１本のロール（３Ｂ）は手前側に偏芯用の軸（３Ｃ）を挿入した偏芯用軸受（３Ｄ）をロール（３Ｂ）の両軸端に挿入し側板Ｂ（１Ｂ）、側板Ｄ（１Ｄ）に軸着する。【０００７】  前記ロール（３Ｂ）の軸端にハンドル（３Ｅ）を取り付ける。【０００８】  図３に示す如くロールの下部に断面がＦ字状のスライドガイド（４Ａ）を側板Ｂ（１Ｂ）の内側に、該スライドガイド（４Ａ）を逆Ｆ字状の向きにしたスライドガイド（４Ｂ）を側板Ｄ（１Ｄ）に対称位置に内設する。【０００９】  断面が矩形状で両サイドに取り付けられた前記スライドガイド（４Ａ）（４Ｂ）のコの字状の溝に掛け渡せる長さを有し、長手方向にスリット（４Ｇ）が設けられているカッターホルダー（４Ｃ）を架設する。【００１０】  トイレットペーパー（６）の巾以上の長辺を有した平板に於いて背板（１Ａ）側の長辺をＶ字状に形成して該Ｖ字状の辺全体を細かいギザギザ状に成形された薄板状のカッター（４Ｔ）をカッターホルダー（４Ｃ）に設けられたスリット（４Ｇ）に挿着する。【００１１】  前記カッターホルダー（４Ｃ）の両側の所要位置に各々１個の所定長さの中空円筒のバネガイド（４Ｈ）を該バネガイド（４Ｈ）の周壁の上部の所定位置に跳ね返し指示片（４Ｕ）である突起片を固着して背板（１Ａ）側方向に突設する。【００１２】  断面が矩形状でスライドガイド（４Ａ）（４Ｂ）に掛け渡せる長さを有し長手方向に前記カッター（４Ｔ）が通過出来る巾のスリット（４Ｇ）を設け、両サイドにバネガイド（４Ｈ）が嵌通可能な孔を所要位置に穿設したペーパークランプ（４Ｅ）をカッターホルダー（４Ｃ）の奥側に配置する。【００１３】  断面が矩形状でスライドガイド（４Ａ）（４Ｂ）に掛け渡せる長さを有し長手方向にカッター（４Ｔ）が通過出来る巾のスリット（４Ｇ）を設け、スリット（４Ｇ）より上部の位置にかつ長手方向の中心部に所要寸法の貫通スリット（４Ｗ）を設け両サイドにバネガイド（４Ｈ）が嵌通可能な孔を所要位置に穿設したペーパー受け（４Ｆ）をペーパークランプ（４Ｅ）の奥側に配置し前記カッターのスリット（４Ｇ）の上側に所要長さの板である跳ね返し板（４Ｍ）をペーパー受け（４Ｆ）の上面に蝶着する。【００１４】  カッターホルダー（４Ｃ）とペーパークランプ（４Ｅ）間に圧縮用バネＡ（４Ｊ）をバネガイド（４Ｈ）の外周に挿着し、該バネガイド（４Ｈ）の内側に圧縮用バネＢ（４Ｋ）を挿入し、圧縮用バネＢ（４Ｋ）の端に所��長さの棒であるバネ受棒（４Ｌ）の先端を押し当て、反対側の端は背板（１Ａ）に固定する。【００１５】  跳ね返し指示軸（４Ｐ）である軸に軸の長手方向の中央部に所要寸法のスリットが設けてあるガイド板（４０）の１辺を当着させ、軸の両サイドにはバネガイド（４Ｈ）に取り付けられた跳ね返し指示片（４Ｕ）と係合する位置に平板である跳ね返し連絡片（４Ｙ）を前記平板のガイド板（４０）と一直線上に取付けて軸の両端はスライドガイド（４Ｈ）に設けられた孔に軸支する。【００１６】  跳ね返し指示軸（４Ｐ）の中央部に当着させた前記ガイド板（４０）のスリットの中に入る所要寸法の平板の突き板（４Ｎ）を挿入して該突き板（４Ｎ）の先端はペーパー受け（４Ｆ）の中心部に設けたスリット（４Ｗ）に挿入する。【００１７】  カッターホルダー（４Ｃ）のバネガイド（４Ｈ）位置にレバー（４Ｑ）の先端を当接させ該レバー（４Ｑ）の支点軸（４Ｒ）を側板Ｂ（１Ｂ）と側板Ｄ（１Ｄ）の所定位置に軸支させ、レバー（４Ｑ）の一方の端にレバーの握り（４Ｓ）を設ける。【００１８】  本体（１）の最下部に図２に示す如く背板（１Ａ）側に平行に中央部が凸状になったペーパー受台（５）を設ける。以上の構成によりなるトイレットペーパーホルダー。
【発明の効果】
【００１９】  （イ）本発明はペーパー支持棒を上向きにすることが出来るのでトイレットペーパーを片手で装着することができる。
（ロ）２本のロールでハンドルで回すことによりペーパーを任意の長さに引き出すことができ、引き出してきたペーパーは受台上でつづら折り状態になっており、片手で使用できる大きさになっている。
（ハ）カッターレバーを下げることによりペーパークランプでペーパーを押さえてカットして片手で取り出すことが出来、そのまま使用できる。
（ニ）カットした後、ペーパーの端末がカッターに付着するのを跳ね返し板により防止するので次のペーパーがスムーズに送り出すことが出来る。
（ハ）壁にも取り付けることが出来るし、机上等でも使えるのでテッシュペーパーの代わりにもなります。
【発明を実施するための最良の形態】
【００２０】  以下、本発明の実施の形態について説明すると図１−１に示す如く本体フレーム（１）を形成する背板（１Ａ）の面の両端縁の片方に側板Ｂ（１Ｂ）の縦辺を、もう一方にはストッパー（１Ｅ）用の所要形状の平板を側板Ｃ（１Ｃ）が外側に９０度位まで傾くような位置に取り付けて側板Ｃ（１Ｃ）の底辺を側板Ｄ（１Ｄ）の上辺に蝶着した該側板Ｄ（１Ｄ）の縦辺を垂設する。【００２１】  側板Ｂ（１Ｂ）の内側にＵ字状の切欠溝（２Ｃ）を設けたペーパー側板（２Ａ）を取り付け、側板Ｃ（１Ｃ）の内側にはペーパー支持棒（２Ｄ）をペーパー側板（２Ｂ）に垂設し、ペーパー支持棒（２Ｄ）の先端がペーパー側板（２Ａ）の切欠溝（２Ｃ）に納まるように取り付ける。【００２２】  前記ペーパー支持棒（２Ｄ）の下部に図２に示す如くロール（３Ａ）を背板（１Ａ）側に、もう１本のロール（３Ｂ）は手前側に偏芯用の軸（３Ｃ）を挿入した偏芯用軸受（３Ｄ）をロール（３Ｂ）の両軸端に挿入し側板Ｂ（１Ｂ）、側板Ｄ（１Ｄ）に軸着する。【００２３】  前記ロール（３Ｂ）の軸端にハンドル（３Ｅ）を取り付ける。【００２４】  図３に示す如くロールの下部に断面がＦ字状のスライドガイド（４Ａ）を側板Ｂ（１Ｂ）の内側に、該スライドガイド（４Ａ）を逆Ｆ字状の向きにしたスライドガイド（４Ｂ）を側板Ｄ（１Ｄ）に対称位置に内設する。【００２５】  断面が矩形状で両サイドに取り付けられた前記スライドガイド（４Ａ）（４Ｂ）のコの字状の溝に掛け渡せる長さを有し、長手方向にスリット（４Ｇ）が設けられているカッターホルダー（４Ｃ）を架設する。【００２６】  前記カッターホルダー（４Ｃ）の両側の所要位置に各々１個の所定長さの中空円筒のバネガイド（４Ｈ）を該バネガイド（４Ｈ）の周壁の上部の所定位置に跳ね返し指示片（４Ｕ）である突起片を固着して背板（１Ａ）側方向に突設する。【００２７】  トイレットペーパー（６）の巾以上の長辺を有した平板に於いて背板（１Ａ）側の長辺をＶ字状に形成して該Ｖ字状の辺全体を細かいギザギザ状に成形された薄板状のカッター（４Ｔ）をカッターホルダー（４Ｃ）のスリット（４Ｇ）内に挿入してビスで止める。【００２８】  断面が矩形状でスライドガイド（４Ａ）（４Ｂ）に掛け渡せる長さを有し長手方向にカッター（４Ｔ）が通過出来る巾のスリット（４Ｇ）を設け、両サイドにバネガイド（４Ｈ）が嵌通可能な孔を所要位置に穿設したペーパークランプ（４Ｅ）をカッターホルダー（４Ｃ）の奥側に配置する。【００２９】  断面が矩形状でスライドガイド（４Ａ）（４Ｂ）に掛け渡せる長さを有し長手方向に前記カッター（４Ｔ）が通過出来る巾のスリット（４Ｇ）を設け、スリット（４Ｇ）より上部の位置にかつ長手方向の中心部に所要寸法の貫通スリット（４Ｗ）を設け両サイドにバネガイド（４Ｈ）が嵌通可能な孔を所要位置に穿設したペーパー受け（４Ｆ）をペーパークランプ（４Ｅ）の奥側に配置しカッターのスリット（４Ｇ）の上側に該スリット（４Ｇ）と同じ長さの板である跳ね返し板（４Ｍ）を蝶番を介してペーパー受け（４Ｆ）の上面で固定する。【００３０】  カッターホルダー（４Ｃ）とペーパークランプ（４Ｅ）間に圧縮用バネＡ（４Ｊ）をバネガイド（４Ｈ）の外周に挿着し、��バネガイド（４Ｈ）の内側に圧縮用バネＢ（４Ｋ）を挿入し、圧縮用バネＢ（４Ｋ）の端に所定長さの棒であるバネ受棒（４Ｌ）の先端を押し当て、反対側の端は背板（１Ａ）に固定する。【００３１】  跳ね返し指示軸（４Ｐ）である軸に軸の長手方向の中央部に所要寸法のスリットが設けてあるガイド板（４Ｏ）の１辺を当着させ、軸の両サイドにはバネガイド（４Ｈ）に取り付けられた跳ね返し指示片（４Ｕ）と係合する位置に平板である跳ね返し連絡片（４Ｙ）を前記平板のガイド板（４Ｏ）と一直線上に取付けて軸の両端はスライドガイド（４Ｈ）に設けられた孔に軸支する。【００３２】  跳ね返し指示軸（４Ｐ）の中央部に当着させた前記ガイド板（４Ｏ）のスリットの中に入る所要寸法の平板の突き板（４Ｎ）を挿入して該突き板（４Ｎ）の先端はペーパー受け（４Ｆ）の中心部に設けたスリット（４Ｗ）に挿入する。【００３３】  カッターホルダー（４Ｃ）のバネガイド（４Ｈ）位置にレバー（４Ｑ）の先端を当接させ該レバー（４Ｑ）の支点軸（４Ｒ）を側板Ｂ（１Ｂ）と側板Ｄ（１Ｄ）の所定位置に軸支させ、該レバー（４Ｑ）の一方の端にレバーの握り（４Ｓ）を設ける。【００３４】  本体（１）の最下部に図２に示す如く背板（１Ａ）側に平行に中央部が凸状になったペーパー受台（５）を設ける。
本発明は、以上の構成よりなるトイレットペーパーホルダーである。【００３５】  本発明を使用するときは、図１１に示す如く側板Ｃ（１Ｃ）を外側に開いてトイレットペーパー（６）をペーパー支持棒（２Ｄ）に差し込んでから図１２に示す如くペーパー支持棒（２Ｄ）の先端をペーパー側板（２Ａ）のＵ字状の切欠溝（２Ｃ）に納める。【００３６】  前面のロール（３Ｂ）を手前側に偏芯させると奥側のロール（３Ａ）と前面のロール（３Ｂ）間に隙間ができるのでその間に、トイレットペーパー（６）の先端を引き出して通す。【００３７】  前面のロール（３Ｂ）を奥側のロール（３Ａ）側に偏芯させて、ロール間にてトイレットペーパー（６）を挟み、ロール回転ハンドル（３Ｅ）を右回転させるとトイレットペーパー（６）が奥側のロール（３Ａ）と前面のロール（３Ｂ）によって引き出され図８に示す如くペーパー受台（５）上につづら折りの状態になる。【００３８】  レバー（４Ｑ）の握り（４Ｓ）をつかんで下方向に下げるとカッターホルダー（４Ｃ）は圧縮用バネＡ（４Ｊ）を介してペーパークランプ（４Ｅ）を、同時に圧縮用バネＢ（４Ｋ）の反発力に押圧して、打ち勝ちながらバネガイド（４Ｈ）をスライドガイド（４Ａ）（４Ｂ）に沿って背板（１Ａ）側にスライドしていき、ペーパークランプ（４Ｅ）とペーパー受け（４Ｆ）の間にトイレットペーパー（６）を押えた状態になり、更にレバーの握り（４Ｓ）を下げるとカッターホルダー（４Ｃ）にセットされているカッター（４Ｔ）がペーパー受け（４Ｆ）のスリット（４Ｇ）を通過してトイレットペーパー（６）を切断する。【００３９】  レバー（４Ｑ）を放すとバネガイド（４Ｈ）は圧縮用バネＡ（４Ｊ）と圧縮用バネＢ（４Ｋ）の反発力により元の位置に戻ろうとスライドするがその際に跳ね返し指示片（４Ｕ）が跳ね返し指示軸（４Ｐ）の両端についている跳ね返し連絡片（４Ｙ）に接触し、跳ね返し指示軸（４Ｐ）に傾点動作を与え、ガイド板（４Ｏ）にて保持されている突き板（４Ｎ）が前方に押し出されてペーパー受け（４Ｆ）の中心部に設けたスリット（４Ｗ）を通過し、跳ね返し板（４Ｍ）を前方に傾動して切断したトイレットペーパー（６）の端がペーパー受け（４Ｆ）のスリット（４Ｇ）部に付着しているのを跳ね返す。【００４０】  切断されたトイレットペーパー（６）はペーパー受台（５）上に数回つづら折りで重ねた状態になっているので手でそれをつかんで使用する。
【図面の簡単な説明】
【００４１】
【図１】本発明による全体斜視図である。
【図２】本発明による一部断面斜視図である。
【図３】本発明によるカッター装置部の分解斜視図である。
【図４】本発明によるロール装置部の斜視図である。
【図５】本発明によるカッター装置部の使用状態の断面のイメージ図である。
【図６】本発明によるカッター装置部の使用状態の断面のイメージ図である。
【図７】本発明によるペーパー段取り状態の斜視図である。
【図８】本発明によるペーパー使用状態の断面のイメージ図である。
【符号の説明】
【００４２】１    本体フレーム
１Ａ  背板
１Ｂ  側板Ｂ
１Ｃ  側板Ｃ
１Ｄ  側板Ｄ
１Ｅ  ストッパー
２Ａ  ペーパー側板
２Ｂ  ペーパー側板
２Ｃ  切欠溝
３Ａ  ロール
３Ｂ  ロール
３Ｃ  偏芯用軸
３Ｄ  偏芯用軸受
３Ｅ  ハンドル
４Ａ  スライドガイド
４Ｂ  スライドガイド
４Ｃ  カッターホルダー
４Ｅ  ペーパークランプ
４Ｆ  ペーパー受け
４Ｇ  スリット
４Ｈ  バネガイド
４Ｊ  圧縮用バネＡ
４Ｋ  圧縮用バネＢ
４Ｌ  バネ受棒
４Ｍ  跳ね返し板
４Ｎ  突き板
４Ｏ  ガイド板
４Ｐ  跳ね返し指示軸
４Ｑ  レバー
４Ｒ  支点軸
４Ｓ  握り
４Ｔ  カッター
４Ｕ  跳ね返し指示片
４Ｗ  貫通スリット
４Ｙ  跳ね返し連絡片
５    ペーパー受台
６    トイレットペーパー
【図１】
2010246866.tif 000003
【図２】
2010246866.tif 000004
【図３】
2010246866.tif 000005
【図４】
2010246866.tif 000006
【図５】
2010246866.tif 000007
【図６】
2010246866.tif 000008
【図７】
2010246866.tif 000009
【図８】
2010246866.tif 000010